(57)【要約】【課題】柱を中心として配されている複数の梁の配置形態に関わらず、柱梁接合部の補強を行う事が可能な柱梁接合部の補強方法を提供する。【解決手段】既存建物の柱梁接合部の補強方法であって、柱１２周りに配置された複数の梁１４それぞれに対して、梁１４に貫通孔１６を形成する開口工程と、貫通孔１６それぞれに対して補強部材１８を挿通させる補強部材配置工程と、隣接している梁１４に形成された貫通孔１６に挿通されている補強部材１８同士を長手方向に接続し、補強部材１８を環状に形成する補強部材接続工程と、補強部材１８に増し打ち部の梁主筋２０を接合すると共に、梁主筋２０に対するせん断補強筋２２を配置する補強筋配置工程と、増し打ち部を含む前記梁１４の周囲に増し打ち用コンクリート３０を充填する打設工程と、を有することを特徴とする。【選択図】図１
2018204234.tif 000002
【特許請求の範囲】
【請求項１】
既存建物の柱梁接合部の補強方法であって、
柱周りに配置された複数の梁それぞれに対して、前記梁を水平方向に貫通する貫通孔を形成する開口工程と、
前記貫通孔それぞれに対して補強部材を挿通させる補強部材配置工程と、
隣接している前記梁に形成された前記貫通孔に挿通されている前記補強部材同士を長手方向に接続し、前記補強部材を環状に形成する補強部材接続工程と、
前記補強部材に増し打ち部の梁主筋を接合すると共に、前記梁主筋に対するせん断補強筋を配置する補強筋配置工程と、
前記増し打ち部を含む前記梁の周囲にコンクリートを充填する打設工程と、
を有することを特徴とする柱梁接合部の補強方法。
【請求項２】
前記補強筋配置工程において、前記梁にアンカーを打設した後、
前記アンカーに対して前記せん断補強筋を固定することを特徴とする請求項１に記載の柱梁接合部の補強方法。
【請求項３】
既存建物の柱梁接合部の補強方法であって、
柱周りに配置された複数の梁それぞれに対して、前記梁の両側面に沿うように床スラブを貫通する貫通孔を形成する開口工程と、
前記柱周りに補強部材を配する補強部材配置工程と、
前記補強部材を環状に形成する補強部材接続工程と、
前記補強部材に増し打ち部の梁主筋を接合すると共に、前記梁主筋に対するせん断補強筋を前記貫通孔に挿通させて配置する補強筋配置工程と、
前記増し打ち部を含む前記梁の周囲にコンクリートを充填する打設工程と、
を有することを特徴とする柱梁接合部の補強方法。
【請求項４】
前記補強部材は、Ｌ字またはＴ字状の断面形状を有する部材とし、
前記柱を基点として内周側に垂直面、外周側に水平面を持つように配置することを特徴とする請求項１乃至３のいずれか１項に記載の柱梁接合部の補強方法。
【請求項５】
既存建物の柱梁接合部の補強構造であって、
柱の外周側に配置した環状補強部材と、
前記環状補強部材を基点として梁の延設方向に沿って配置される梁主筋と、
前記梁主筋に交差して配置されるせん断補強筋と、
前記梁と前記梁主筋、および前記せん断補強筋を覆うコンクリート層と、
を有することを特徴とする柱梁接合部の補強構造。
【請求項６】
前記環状補強部材は、前記柱周りに配置された複数の前記梁を水平に貫いて配置されていることを特徴とする請求項５に記載の柱梁接合部の補強構造。
【請求項７】
前記せん断補強筋は、前記梁の両側面に沿うように床スラブを貫いて配置されていることを特徴とする請求項５に記載の柱梁接合部の補強構造。
【発明の詳細な説明】
【技術分野】
【０００１】
本発明は、柱梁接合部の補強技術に係り、特に、既存建物の免震、あるいは耐震改修時における柱梁接合部の補強に好適な方法、および構造に関する。
【背景技術】
【０００２】
既存建物の免震化や耐震化を目的とした改修工事を行う際、通常、既存躯体の耐力や剛性を高めるために、鋼板のジャケッティングやコンクリートで増し打ち補強が行われる。例えば特許文献１には、既存建物の免震化を行う際の工法に関する技術が開示されており、特許文献２には、既存建物の耐震補強に関する技術が開示されている。
【０００３】
具体的な事例として特許文献１には、免震階の柱に免震装置を設置する際、免震階の柱のうち、免震装置を設置する部分を除く上部（柱梁接合部）と、下部をコンクリートで増し打ち補強する事が示されている。また、特許文献１では、柱梁接合部を含む柱をコンクリートで増し打ち補強した上で、免震装置を設置するために柱の一部を切断した際の仮支持を行う支承治具を設置する事が示されている。
【０００４】
また、特許文献２には、既存梁に対するコンクリートによる増し打ち補強を行う際、増し打ち部の梁主筋の定着を確実なものとする技術が示されている。具体的には、増し打ちする梁の延設方向と直交して配置されている躯体の一部（他の既存梁）に対して水平方向に貫通孔を形成し、この貫通孔に梁主筋を挿通させる。そして、穿孔した貫通孔に梁主筋を貫通させて固定するというものである。
【先行技術文献】
【特許文献】
【０００５】
【特許文献１】特開２００４−１２４５７９号公報
【特許文献２】特開２００６−１２５０２２号公報
【発明の概要】
【発明が解決しようとする課題】
【０００６】
近年では、上記のような耐震、免震のための改修工事が盛んに行われている。しかし、特許文献１に開示されている技術は、主に免震装置を設置するための治具の設置や工程を示すものであり、柱梁接合部におけるコンクリートの増し打ちを好適に行う技術についての具体的な開示はない。また、特許文献２に開示されている技術によれば、梁主筋の定着は、確実なものとする事ができると考えられる。しかしながら、当該技術を実施するためには、梁主筋の数だけ既存躯体に貫通孔を形成する必要があり、多大な労力を要する事となる。また、コンクリートによる増し打ちを行う梁に対して交差する躯体（梁）が、直交していないような建物の場合には、適用する事が困難であると考えられる。また、柱を中心として交差する梁全てに対して増し打ち工事を行う事についても同様に、困難であると考えられる。
【０００７】
そこで本発明では、柱を中心として配されている複数の梁の配置形態に関わらず、施工可能な柱梁接合部の補強方法、および補強構造を提供することを目的とする。
【課題を解決するための手段】
【０００８】
上記目的を達成するための本発明に係る柱梁接合部の補強方法は、既存建物の柱梁接合部の補強方法であって、柱周りに配置された複数の梁それぞれに対して、前記梁を水平方向に貫通する孔を形成する開口工程と、前記貫通孔それぞれに対して補強部材を挿通させる補強部材配置工程と、隣接している前記梁に形成された前記貫通孔に挿通されている前記補強部材同士を長手方向に接続し、前記補強部材を環状に形成する補強部材接続工程と、前記補強部材に増し打ち部の梁主筋を接合すると共に、前記梁主筋に対するせん断補強筋を配置する補強筋配置工程と、前記増し打ち部を含む前記梁の周囲にコンクリートを充填する打設工程と、を有することを特徴とする。
【０００９】
また、上記のような特徴を有する柱梁接合部の補強方法では、前記補強筋配置工程において、前記梁にアンカーを打設した後、前記アンカーに対して前記せん断補強筋を固定する構成とする。このような特徴を有する事により、せん断補強筋を固定する際、梁に貫通孔を形成する必要が無くなり、労力を軽減させることができる。
【００１０】
また、上記目的を達成するための本発明に係る柱梁接合部の補強方法における他の手段は、既存建物の柱梁接合部の補強方法であって、柱周りに配置された複数の梁それぞれに対して、前記梁の両側面に沿うように床スラブを貫通する貫通孔を形成する開口工程と、前記柱周りに補強部材を配する補強部材配置工程と、前記補強部材を環状に形成する補強部材接続工程と、前記補強部材に増し打ち部の梁主筋を接合すると共に、前記梁主筋に対するせん断補強筋を前記貫通孔に挿通させて配置する補強筋配置工程と、前記増し打ち部を含む前記梁の周囲にコンクリートを充填する打設工程と、を有することを特徴とする。このような方法を採用したとしても、上記方法と同様な効果を奏することができる。
【００１１】
また、上記のような特徴を有する柱梁接合部の補強方法において前記補強部材は、Ｌ字またはＴ字状の断面形状を有する部材とし、前記柱を基点として内周側に垂直面、外周側に水平面を持つように配置する。このような特徴を有する事により、補強部材に強度を持たせることができると共に、梁主筋を水平面に接合させる事ができる。
【００１２】
また、上記目的を達成するための、柱梁接合部の補強構造は、既存建物の柱梁接合部の補強構造であって、柱の外周側に配置した環状補強部材と、前記環状補強部材を基点として梁の延設方向に沿って配置される梁主筋と、前記梁主筋に交差して配置されるせん断補強筋と、前記梁と前記梁主筋、および前記せん断補強筋を覆うコンクリート層と、を有することを特徴とする。
【００１３】
また、上記のような特徴を有する柱梁接合部の補強構造において、前記環状補強部材は、前記柱周りに配置された複数の前記梁を水平に貫いて配置されている。このような特徴を有する事により、梁を有する階層に、補強部材を配置して、補強構造を採用することが可能となる。
【００１４】
また、上記のような特徴を有する柱梁接合部の補強構造において、前記梁には、前記せん断補強筋を固定するためのアンカーを打設する。このような特徴を有する事により、せん断補強筋を固定する際、梁に貫通孔を形成する必要が無くなり、労力を軽減させることができる。
【００１５】
また、上記のような特徴を有する柱梁接合部の補強構造において、前記せん断補強筋は、前記梁の両側面に沿うように床スラブを貫いて配置されている。このような特徴を有する事により、補強対象とする梁を有する階の上階に補強部材を配置して、補強構造を採用することが可能となる。
【００１６】
さらに、上記のような特徴を有する柱梁接合部の補強構造において、前記補強部材は、Ｌ字またはＴ字状の断面形状を有する。このような特徴を有する事により、補強部材として、汎用の鋼材を用い、その水平面や垂直面に梁主筋を接合することが可能となる。接合手段はフレア溶接が一般的であるが、垂直面に孔を設けてボルト・ナット方式で止めると、溶接長を短くできて補強部材を小さくすることが可能となる。また、鉛直面があると平鋼（フラットバー）よりも支圧面積をかせげると共にリングの剛性を上げることができる。このため、Ｌ字またはＴ字状の断面形状を有する補強部材は、環状とする全体の形状を保持しながら鉄筋からの応力を柱に伝達するのに効果的である。
【発明の効果】
【００１７】
上記のような特徴を有する柱梁接合部の補強方法、および補強構造によれば、柱を中心として配されている複数の梁の配置形態に関わらず、柱梁接合部の補強を行う事ができる。
【図面の簡単な説明】
【００１８】
【図１】実施形態に係る柱梁接合部の補強方法についてのフロー図である。
【図２】柱梁接合部の補強方法、および補強構造を適用する躯体の例を示す平面図である。
【図３】躯体を構成する複数の梁それぞれに、貫通孔を形成した状態を示す平面図である。
【図４】複数の梁それぞれに形成した貫通孔に対して補強部材を挿通させた状態を示す平面図である。
【図５】貫通孔に挿通させた補強部材を長手方向に接続し、環状体を構成した状態を示す平面図である。
【図６】環状体とした補強部材を基点として、梁主筋を配置した状態を示す平面図である。
【図７】断面Ｌ字型の補強部材に対する梁主筋の接合状態を示す図である。
【図８】断面Ｔ字型の補強部材に対する梁主筋の接合状態を示す図である。
【図９】梁主筋の周囲にせん断補強筋（スターラップ）を配置すると共に、柱主筋とせん断補強筋（フープ）を配置した状態を示す平面図である。
【図１０】補強後の梁の状態を示す断面図である。
【図１１】梁主筋に対するせん断補強筋の配置に関し、アンカーを用いる例を説明するための断面図である。
【図１２】柱梁接合部の補強を行った後の躯体の状態を示す平面図である。
【図１３】柱梁接合部の補強を行った後の躯体に対して、免震改修を行う場合の例を説明するための正面図である。
【図１４】柱の形状、および梁の配置形態を異ならせた変形例を説明するための平面図である。
【図１５】補強対象とする梁を有する階の上階に補強部材を配置する場合の構成例を示す正面図である。
【発明を実施するための形態】
【００１９】
以下、本発明の柱梁接合部の補強方法、および柱梁接合部の補強構造に係る実施の形態について、図面を参照して詳細に説明する。
本実施形態に係る柱梁接合部の補強方法の適用について、図１に示すフロー図と、図２から図１２に示す進捗構成図を例に挙げて説明する。図２は、実施形態に係る柱梁接合部の補強方法（以下、単に補強方法と称す）を適用する躯体１０の一例であり、柱１２と、この柱１２周りに接続された梁１４の状態を平面視で示した図である。図２に示す躯体１０は、円柱形の柱１２の周囲に、複数（図２に示す例では５本）の梁１４が放射状に接続されている。各梁１４の配置間隔（梁１４の配置角度）は不規則で、隣接する梁１４との間の成す角が鋭角となる箇所と、鈍角となる箇所が混在している。このような形態の柱梁接合部を有する躯体１０に対しては、従来の補強方法を適用することが難しい。
【００２０】
実施形態に係る柱梁接合部の補強方法では、まず、各梁１４に対して貫通孔１６を形成する。貫通孔１６は、図３に示すように、梁１４の延設方向と直交する方向に沿って、水平に形成する。柱１２から貫通孔１６までの距離Ｌは、梁１４に対する穿孔用の工具を設置して作業可能な距離であれば良く、具体的な数値を限定するものではない。しかしながら、複数の梁１４それぞれに形成する貫通孔１６における柱１２からの距離Ｌについては、近似させることが望ましい。また、貫通孔１６の直径は、詳細を後述する補強部材１８を挿通させることが可能な径とすれば良い。なお、梁１４に対する貫通孔１６の形成は、梁１４を構成する鉄骨等（不図示）を傷つけないように行うこととする。ここで、梁１４に対する穿孔時には、梁１４の断面欠損に備え、図示しないジャッキ等により、図３中、破線の丸で示す点を支持すると良い。なお、説明上、貫通孔１６について、梁１４の延設方向と直交する方向に沿って、水平に形成すると記載した。しかしながら、ここでいう水平とは、厳密なものでは無く、穿孔作業における誤差を含むものとする（開口工程：ステップ１０）。
【００２１】
次に、図４に示すように、各梁１４それぞれに設けられた貫通孔１６に対して、補強部材１８を挿通させる（補強部材配置工程：ステップ２０）。貫通孔１６に補強部材１８を挿通させた状態とした後、図５に示すように、隣接配置した補強部材１８を長手方向に接続し、補強部材１８を環状に形成する。補強部材１８の接続は、溶接等の手段であれば良く、貫通孔１６を挿通させた補強部材１８のうち、隣接配置される補強部材１８との間に隙間が生じる場合には、補強部材間に別途、接続部材１８ａを配するようにすれば良い（補強部材接続工程：ステップ３０）。
【００２２】
ここで、補強部材１８（接続部材１８ａを含む）とは、設置状態において、図７に示すような垂直面１８ｂと水平面１８ｃとを有する、いわゆるＬ字型断面を構成する。また、同様に垂直面１８ｂと水平面１８ｃとを有する形態として、図８に示すような、いわゆるＴ字型断面を構成するものであっても良い。
【００２３】
補強部材１８を環状に配置した後、梁１４に形成した貫通孔１６にグラウト材を充填し、貫通孔１６を塞ぐと共に、補強部材１８を固定する。グラウト材が硬化した後、図６に示すように、梁主筋２０を接合する。梁主筋２０は、補強部材１８を基点として、各梁１４の延設方向に沿って配置する。梁主筋２０の接合は、図７、図８に示すように補強部材１８を構成する水平面１８ｃに対して、その一部を溶接する事により成される。なお、各梁１４に対して配置する梁主筋２０の数は、増し打ちされる梁１４の寸法や強度等に応じて適宜選定すれば良い。
【００２４】
梁主筋２０の接合を終えた後、図９に示すように、梁主筋２０周りに、せん断補強筋（スターラップ）２２を配置する。ここで、既存建物の梁１４は、図１０に断面形態を示すように、少なくとも上端部が天井（上階の床）等の床スラブ４０に埋設あるいは密接されている。このため、梁主筋２０を覆うように配置されるせん断補強筋２２は、梁１４に貫通孔を穿孔した上で配置することとなる。
【００２５】
しかしながら、複数配置するせん断補強筋２２全てを配置する貫通孔を梁１４に形成した場合、梁１４の強度が低下したり、内部鉄骨（不図示）により、貫通孔を形成できない場合も生じ得る。そのような場合、図１１に示すように、梁１４の側面にアンカー２４を打ち込み、このアンカー２４により、既存の梁１４と増し打ち部（増し打ち用コンクリート３０）との結合状態の強度確保を図るようにすれば良い。このような構成の場合、せん断補強筋２２は、梁１４の両側部に配された主筋２０をそれぞれ囲うように配置される。そして、アンカー２４の先端は、主筋２０を囲ったせん断補強筋２２の範囲内に位置させる。そして、必要に応じて、アンカー２４の先端には、抜け止め部材２４ａを設けるようにしても良い。
【００２６】
また、せん断補強筋２２をこのように配置する場合、梁１４の両側部に配されたせん断補強筋２２間にも、両者を連結するせん断補強筋２２ａや、このせん断補強筋２２ａに直交する主筋２０ａを配置する構成としても良い。このような構成とする事で、梁１４の両側部に離間して配置されたせん断補強筋２２を連結し、一体化した増し打ち部を構成する事が可能となるからである（補強筋配置工程：ステップ４０）。
【００２７】
なお、この補強筋配置工程では、梁１４の増し打ち部におけるせん断補強筋２２の配置と前後して、あるいは同時に、柱１２の補強を行うための柱主筋２６やせん断補強筋（フープ）２８を配置する。
【００２８】
補強筋配置工程を終えた後、主筋（梁主筋２０，柱主筋２６）、およびせん断補強筋２２，２８の周囲に図示しない型枠を配置して、コンクリート（増し打ち用コンクリート３０）を充填する打設作業を行う。充填した増し打ち用コンクリート３０が硬化した後、型枠を外す事で、躯体１０における柱梁接合部の補強が完了する（打設工程：ステップ５０）。
【００２９】
［補強構造］
このようにして柱梁接合部の補強が成された躯体１０は、次のような構造的な特徴を持つ。すなわち、図１２に示すように、補強部材１８と、梁主筋２０、せん断補強筋２２、柱主筋２６、せん断補強筋２８、および増し打ち用コンクリート３０を有する。補強部材１８は、Ｌ字、あるいはＴ字型の断面を有する鋼材により構成され、柱１２周りに配置された複数の梁１４を水平に貫いて配置される環状構造体である。梁主筋２０は、金属棒により構成され、補強部材１８を基点として、補強対象とする梁１４の延設方向に沿って配置されている。せん断補強筋２２も、金属棒により構成され、梁主筋２０と直交する方向に、複数の梁主筋２０の周囲を覆うように配置される。なお、せん断補強筋２２は、梁主筋２０の延設方向に沿って複数配置されている。
【００３０】
柱主筋２６とせん断補強筋２８は、梁主筋２０とせん断補強筋２２と同様に、金属棒により構成されている。柱主筋２６は、柱１２に沿って、柱１２の外周に配置され、せん断補強筋２８は、複数の柱主筋２６を覆うように、柱主筋２６と直交する方向に向けて配置されている。
【００３１】
増し打ち用コンクリート３０は、上述した梁主筋２０と、せん断補強筋２２、柱主筋２６、およびせん断補強筋２８を覆うコンクリート層であり、補強後の柱１２、および梁１４の外装を構成する。
【００３２】
このような構成の柱梁接合部の補強方法、および補強構造によれば、柱１２を中心として配されている複数の梁１４の配置形態に関わらず、柱梁接合部の補強を行う事が可能となる。
【００３３】
［免震改修について］
上記のようにして、柱梁接合部の補強を行った後、免震装置の設置を行う場合には、図１３に示すように、柱１２に仮支承台３２を設置し、仮支承台３２と補強した梁１４との間にジャッキ等の仮支承部３４を配置する（支保工設置）。
【００３４】
仮支承部３４を配置した後、図示しない免震装置を設置するためのスペースを確保するために、柱１２の一部を切断する。なお、柱１２において切断に係る部位については、増し打ちを行わないこととする。
【００３５】
このように、柱梁接合部の補強を行った上で免震改修を行う事で、躯体１０における柱１２や梁１４の耐力や剛性が向上し、免震装置に変形を集中させることで生じる付加応力を負担することが可能となる。また、地震が生じた際に、躯体（柱１２や梁１４）に変形が生じにくくなり、免震装置に変形が集中し、建物が長周期化することで、免震層の上部への地震力を低減させることとなる。このため、十分な免震効果を得る事ができる。その他、柱１２の耐力や剛性が向上することによる効果として、柱１２の軸力を受け替えるための支保工を設置する事が可能となるといったことを挙げることができる。
【００３６】
［変形例］
上記実施形態では、柱１２を円柱形とし、その周囲に設けられた梁１４は、配置角度を不均一とするものとして説明した。しかしながら、本実施形態に係る柱梁接合部の補強方法、および補強構造は、図１４に示すような角柱型の柱１２に、均等配置された梁１４を持つ躯体１０にも適用する事ができる。
【００３７】
具体的には、図１４に示す躯体１０は、五角形型の断面を有する柱（五角柱）１２を備えている。そして、五角形の各頂点部分を基点として、放射状に梁１４が配される形態とされている。
【００３８】
このような構成の躯体１０に柱梁接合部の補強方法（構造）を適用する場合も、上記実施形態と同様に、各梁１４に対して貫通孔１６を形成する。そして、梁１４に形成した貫通孔に対して、補強部材１８を挿通させる。ここで、補強部材１８について、上記実施形態では、柱１２の外周形状に合わせて円形としていた。本変形例も同様に、補強部材１８の形態を柱１２の外形に対する内接円の内側に収まる円形（外部に露出しない円形）とすると良い。補強部材１８をこのような形態とする事で、角部に生ずる応力の集中を避ける事ができる。また、補強後の柱１２の外形形状を補強前と一致させる事で、補強に起因した総合的なデザインの崩れや印象の変化を抑制する事ができるからである。なお、図１４において、補強部材１８配置部における増し打ち部の外形形状は、二点鎖線で示すこととする。
【００３９】
また、上記実施形態ではいずれも、補強部材１８は、補強対象とする梁１４を有する階層に配置するように説明した。しかしながら、本発明に係る柱梁接合部の補強方法は、図１５に示すように、補強対象とする梁１４を備える階の上階に補強部材１８を配置したとしても、適用することができる。
【００４０】
具体的には、まず、補強対象とする梁１４の上階（以下、単に上階と称す）の床スラブ４０に貫通孔４２を形成する。貫通孔４２は、柱１２周りに配置された複数の梁１４の両側面に沿うように、形成する（開口工程）。次に、上階の柱１２の周りに補強部材１８を配置する。補強部材１８は、弧状部材を複数（少なくとも２つ）用いる事で、柱１２の周りを環状に覆うように配置する。なお、図１５では補強部材１８について、一点鎖線で示す中心線を基点として、右側に側面（正面）形態を示し、左側に断面形態を示している（補強部材配置工程）。次に、柱１２を覆うように配置した補強部材１８を接続し、環状に形成する（補強部材接続工程）。
【００４１】
その後の工程は、上述した実施形態と同様である。すなわち、補強部材１８を基点として、梁１４の延設方向に沿って梁主筋２０を配置する。その後、梁１４周りに配置した複数の梁主筋２０を覆うように、せん断補強筋２２を配置する。ここで、せん断補強筋２２は、床スラブ４０に形成した貫通孔４２を貫くように配置する（補強筋配置工程）。その後、梁１４、柱１２、梁主筋２０、せん断補強筋２２等を覆う範囲に増し打ち用コンクリート３０を打設する（打設工程）。
【００４２】
このような方法、及び構造を採用した場合でも、上記実施形態と同様な効果を得る事ができる。また、補強対象とする梁１４を有する階の上階に補強部材１８を配置して、補強構造を構成することができるため、柱梁接合部における天井部の増し打ち領域を低減し、施工後における天井部の圧迫感を軽減することができる。
【００４３】
なお、上記実施形態では、各部材間の接続、接合に関しては、主に溶接を用いる旨記載した。しかしながら、確実かつ簡単、安価に部材間の接続、接合を行う事ができる手法であれば、溶接に変えてその手法を採用しても良い。
【符号の説明】
【００４４】
１０………躯体、１２………柱、１４………梁、１６………貫通孔、１８………補強部材、１８ａ………接続部材、１８ｂ………垂直面、１８ｃ………水平面、２０，２０ａ………梁主筋、２２，２２ａ………せん断補強筋（スターラップ）、２４………アンカー、２４ａ………抜け止め部材、２６………柱主筋、２８………せん断補強筋（フープ）、３０………増し打ち用コンクリート、３２………仮支承台、３４………仮支承部、４０………床スラブ、４２………貫通孔。
【図１】
2018204234.tif 000003
【図２】
2018204234.tif 000004
【図３】
2018204234.tif 000005
【図４】
2018204234.tif 000006
【図５】
2018204234.tif 000007
【図６】
2018204234.tif 000008
【図７】
2018204234.tif 000009
【図８】
2018204234.tif 000010
【図９】
2018204234.tif 000011
【図１０】
2018204234.tif 000012
【図１１】
2018204234.tif 000013
【図１２】
2018204234.tif 000014
【図１３】
2018204234.tif 000015
【図１４】
2018204234.tif 000016
【図１５】
2018204234.tif 000017